(57)【要約】【課題】  ホルダー５によってリモコン２をハンドル１に取り付ける構造において、操作者の視認性や操作性を考慮して、操作ボタン４５〜４５の位置や操作面の文字表示位置を自由に設定すること。【解決手段】  リモコン２とホルダー５を係合可能に形成し、この係合部に角度調整係合部６０を形成する。この角度調整係合部６０を、リモコン２に形成された外歯形状係合部３０と、ホルダー５に形成された内歯形状係合部５２とで形成し、外歯３１〜３１と内歯５７〜５７の係合位置によって共軸となる中心軸Ｃ１，Ｃ２の回りに角度調整を行い、位置決めをする。リモコン２の操作面を中心軸Ｃ１に対して略垂直に形成する。【選択図】  図１
2006312407.tif 000002
【特許請求の範囲】
【請求項１】
ホルダー（５、５a）によってリモートコントローラ（２、２a）を被取付部材（１）に取り付ける構造であって、リモートコントローラ（２、２a）とホルダー（５、５a）に係合可能な係合部を形成し、リモートコントローラ（２、２a）とホルダー（５、５a）の係合部に、中心軸（Ｃ１）（Ｃ２）を一致させて角度調整可能に係合する位置決め用の角度調整係合部（６０、６０a）を形成し、リモートコントローラ（２、２a）の操作面を中心軸（Ｃ１）に対して略垂直に形成したことを特徴とするリモートコントローラの取付構造。
【請求項２】
角度調整係合部（６０）は、リモートコントローラ（２）とホルダー（５）の係合部に歯車形状に形成された歯車形状係合部であることを特徴とする請求項１記載のリモートコントローラの取付構造。
【請求項３】
リモートコントローラ（２）とホルダー（５）の係合部は、中心軸（Ｃ１）（Ｃ２）が一致して相対面する円筒面状の外側面と内側面を具備し、歯車形状係合部（６０）は、ホルダー（５）の内側円筒面に円周方向に沿って一定間隔で形成された複数の内歯（５７）を具備する内歯形状係合部（５２）と、リモートコントローラ（２）の外側円筒面に円周方向に沿って形成され、ホルダー（５）との係合時に内歯（５７）と噛合可能な外歯（３１）を具備する外歯形状係合部（３０）とからなることを特徴とする請求項２記載のリモートコントローラの取付構造。
【請求項４】
リモートコントローラ（２）とホルダー（５）の係合部は、中心軸（Ｃ１）（Ｃ２）が一致して相対面する円筒面状の内側面と外側面を具備し、歯車形状係合部（６０）は、リモートコントローラ（２）の内側円筒面に円周方向に沿って一定間隔で形成された複数の内歯を具備する内歯形状係合部と、ホルダー（５）の外側円筒面に円周方向に沿って形成され、リモートコントローラ（２）との係合時に前記内歯と噛合可能な外歯を具備する外歯形状係合部とからなることを特徴とする請求項２記載のリモートコントローラの取付構造。
【請求項５】
角度調整係合部（６０a）は、リモートコントローラ（２a）とホルダー（５a）の係合部に凹凸形状に形成された凹凸形状係合部であることを特徴とする請求項１記載のリモートコントローラの取付構造。
【請求項６】
リモートコントローラ（２a）とホルダー（５a）の係合部は、中心軸（Ｃ１）（Ｃ２）に対して略垂直に形成された相対面する平面状の上側面と下側面を具備し、凹凸形状係合部（６０a）は、ホルダー（５a）の上側平面に中心軸（Ｃ２）との交差点を中心とした円周方向に沿って一定間隔で凹設された複数の凹部（５７a）を具備する凹形状係合部（５２a）と、リモートコントローラ（２a）の下側平面に凸設されてホルダー（５a）との係合時に凹部（５７a）と係合可能な凸部（３１a）を具備する凸形状係合部（３０a）とからなることを特徴とする請求項４記載のリモートコントローラの取付構造。    
【請求項７】
リモートコントローラ（２a）とホルダー（５a）の係合部には、中心軸（Ｃ１）（Ｃ２）に対して略垂直に形成された相対面する平面状の上側面と下側面が形成され、凹凸形状係合部（６０a）は、リモートコントローラ（２a）の下側平面に中心軸（Ｃ１）との交差点を中心とした円周方向に沿って一定間隔で凹設された複数の凹部を具備する凹形状係合部と、ホルダー（５a）の上側平面に凸設されてリモートコントローラ（２a）との係合時に前記凹部と係合可能な凸部を具備する凸形状係合部とからなることを特徴とする請求項４記載のリモートコントローラの取付構造。  
【請求項８】
被取付部材（１）を車両のハンドルとしたことを特徴とする請求項１、２、３、４、５、６又は７記載のリモートコントローラの取付構造。
【発明の詳細な説明】
【技術分野】
【０００１】
本発明は、リモートコントローラ（以下単にリモコンという。）を被取付部材（例えば自動車のハンドル）に取り付ける取付構造に関するものである。
【背景技術】
【０００２】
リモコンをハンドル（ステアリングホイール）に取り付ける構造には、図９に示すような、固定バンド１０３を用いてリモコン１０１をハンドル１に取り付けるものが知られている。
図９において、ハンドル１は中心部１１と、この中心部１１から放射状に突設された棒状のスポーク部１２〜１２と、このスポーク部１２〜１２の先端に連設された円形状のグリップ１３とを具備している。
１０５インストルメントパネル、１０７はナビゲーション装置、１０９はナビゲーション装置１０７のモニター、１１１は操作スイッチで、操作スイッチ１１１を押してリモコン１０１の発光部から赤外線等の信号が出射すると、この信号がモニター１０９の受光部で受信されナビゲーション装置１０７の制御部へ送信される。
【０００３】
図９に示した公知例では、固定バンド１０３によってリモコン１０１をハンドル１に取り付ける位置は変更できるが、リモコン１０１の取付位置は運転操作や視野の妨げにならないようにしなければならないという制約があるため、リモコン１０１をモニター１０９の受光部に対し適切に向けて取り付けることができないという問題点があった。
【０００４】
上述の問題点を解決するために、ステアリングホイールに取り付けられるホルダーと、このホルダーに角度調整可能に取り付けられたリモコンとを備えた構造が提案されている  （例えば特許文献１参照）。
【特許文献１】特開２００１−３０９４６６
【発明の開示】
【発明が解決しようとする課題】
【０００５】
しかしながら、前述の提案例では、信号を適切な方向へ向けるために、リモコンが、その操作面（操作ボタンが設けられた面）に平行な軸を中心として角度調整可能にホルダーに取り付けられているので、操作ボタンの位置や、操作面の文字表示位置を、操作者の視認性や操作性を考慮して自由に設定できないという問題点があった。
【０００６】
本発明は上述の問題点を鑑みなされたもので、操作者の視認性や操作性を考慮して、操作ボタンの位置や操作面の文字表示位置を自由に設定することができるリモコンの取付構造を提供することを目的とする。
【課題を解決するための手段】
【０００７】
請求項１記載の発明は、ホルダーによってリモコンを被取付部材に取り付ける構造であって、前記リモコンと前記ホルダーに係合可能な係合部を形成し、前記リモコンと前記ホルダーの係合部に、中心軸を一致させて角度調整可能に係合する位置決め用の角度調整係合部を形成し、前記リモコンの操作面を前記中心軸に対して略垂直に形成したことを特徴とする。
【０００８】
請求項２記載の発明は、請求項１記載の発明において、角度調整係合部は、リモコンとホルダーの係合部に歯車形状に形成された歯車形状係合部であることを特徴とする。
【０００９】
請求項３記載の発明は、請求項２記載の発明において、リモコンとホルダーの係合部には、中心軸を一致させて相対面する円筒面状の外側面と内側面とが形成され、歯車形状係合部は、前記ホルダーの内側円筒面に円周方向に沿って一定間隔で形成された複数の内歯を具備する内歯形状係合部と、前記リモコンの外側円筒面 に円周方向に沿って形成され、前記ホルダーとの係合時に前記内歯と噛合可能な外歯を具備する外歯形状係合部とからなることを特徴とする。
【００１０】
請求項４記載の発明は、請求項２記載の発明において、リモコンとホルダーの係合部には、中心軸を一致させて相対面する円筒面状の内側面と外側面が形成され、歯車形状係合部は、前記リモコンの内側円筒面に円周方向に沿って一定間隔で形成された複数の内歯を具備する内歯形状係合部と、前記ホルダーの外側円筒面 に円周方向に沿って形成され、前記リモコンとの係合時に前記内歯と噛合可能な外歯を具備する外歯形状係合部とからなることを特徴とする。
【００１１】
請求項５記載の発明は、請求項１記載の発明において、角度調整係合部は、リモコンとホルダーの係合部に凹凸形状に形成された凹凸形状係合部であることを特徴とする。
【００１２】
請求項６記載の発明は、請求項４記載の発明において、リモコンとホルダーの係合部には、中心軸に対して略垂直に形成された相対面する平面状の上側面と下側面が形成され、凹凸形状係合部は、前記ホルダーの上側平面に前記中心軸との交差点を中心とした円周方向に沿って一定間隔で凹設された複数の凹部を具備する凹形状係合部と、前記リモコンの下側平面に凸設されて前記ホルダーとの係合時に前記凹部と係合可能な凸部を具備する凸形状係合部とからなることを特徴とする。   
【００１３】
請求項７記載の発明は、請求項４記載の発明において、リモコンとホルダーの係合部には、中心軸に対して略垂直に形成された相対面する平面状の上側面と下側面が形成され、凹凸形状係合部は、前記リモコンの下側平面に前記中心軸との交差点を中心とした円周方向に沿って一定間隔で凹設された複数の凹部を具備する凹形状係合部と、前記ホルダーの上側平面に凸設されて前記リモコンとの係合時に前記凹部と係合可能な凸部を具備する凸形状係合部とからなることを特徴とする。  
【００１４】
請求項８記載の発明は、請求項１、２、３、４、５、６又は７記載の発明において、被取付部材を車両のハンドルとしたことを特徴とする。  
【発明の効果】
【００１５】
請求項１記載の発明は、リモコンとホルダーの係合部に角度調整係合部を形成し、リモコンの操作面に略垂直な中心軸を中心として角度調整可能にリモコンとホルダーを係合して位置決めしているので、リモコンの操作面における操作ボタンの位置や文字表示位置を、操作面と略同一面上で中心軸の回りに角度調整して位置決めすることができる。このため、操作者の視認性や操作性を考慮して、リモコンの操作ボタンの位置や文字表示位置を自由に設定することができる。
【００１６】
請求項２記載の発明は、請求項１記載の発明において、角度調整係合部をリモコンとホルダーの係合部に形成された歯車形状係合部としたので、リモコンとホルダーの係合部に形成する歯の数によって位置決め用の角度を簡単に調整し、設定することができる。  
【００１７】
請求項３記載の発明は、請求項２記載の発明において、歯車形状係合部を内歯形状係合部と外歯形状係合部で形成し、内歯形状係合部がホルダーの内側円筒面に円周方向に沿って一定間隔で形成された複数の内歯を具備し、外歯形状係合部がリモコンの外側周筒面に形成されて複数の内歯と噛合可能な外歯を具備する構成としたので、ホルダーの内側円筒面に形成する内歯の数によって調整可能な角度の段階数を簡単に設定することができ、中心軸を中心としてリモコンを所定角度回すだけで位置決め用の角度を調整することができる。
【００１８】
請求項４記載の発明は、請求項２記載の発明において、歯車形状係合部を内歯形状係合部と外歯形状係合部で形成し、内歯形状係合部がリモコンの内側円筒面に円周方向に沿って一定間隔で形成された複数の内歯を具備し、外歯形状係合部がホルダーの外側周筒面に形成されて複数の内歯と噛合可能な外歯を具備する構成としたので、リモコンの内側円筒面に形成する内歯の数によって調整可能な角度の段階数を簡単に設定することができ、中心軸を中心としてリモコンを所定角度回すだけで位置決め用の角度を調整することができる。
【００１９】
請求項５記載の発明は、請求項１記載の発明において、角度調整係合部をリモコンとホルダーの係合部に形成された凹凸形状係合部としたので、リモコンとホルダーの係合部に形成する凹凸部の数によって位置決め用の調整角度を簡単に設定することができる。
【００２０】
請求項６記載の発明は、請求項４記載の発明において、凹凸形状係合部を凹形状係合部と凸形状係合部で形成し、凹形状係合部がホルダーの上側平面に円周方向に沿って一定間隔で凹設された複数の凹部を具備し、凸形状係合部がリモコンの下側平面に凸設されてホルダーとの係合時に凹部と係合可能な凸部を具備する構成としたので、ホルダーの上側平面に凹設される凹部の数によって、位置決め用の調整角度を簡単に設定することができる。
【００２１】
請求項７記載の発明は、請求項４記載の発明において、凹凸形状係合部を凹形状係合部と凸形状係合部で形成し、凹形状係合部がリモコンの下側平面に円周方向に沿って一定間隔で凹設された複数の凹部を具備し、凸形状係合部がホルダーの上側平面に凸設されてリモコンとの係合時に凹部と係合可能な凸部を具備する構成としたので、リモコンの下側平面に形成する凹部の数によって、位置決め用の調整角度を簡単に設定することができる。
【００２２】
請求項８記載の発明は、請求項１、２、３、４、５、６又は７記載の発明において、被取付部材を車両のハンドルとしたので、本発明を車両用リモコンの取付構造に利用することができ、車両運転者の視認性や操作性を考慮して、リモコンの操作ボタンや文字表示位置を自由に設定することができ、ブラインドタッチによるスイッチ操作を容易にすることができる。
【実施例】
【００２３】
図１〜図４は本発明の第１実施例を示すもので、これらの図において、１は自動車のハンドル、２はリモコン（以下リモコンという。）５はホルダー、８は固定バンド、９は止めねじである。
【００２４】
ハンドル１は、図９に示したハンドル１と同一に形成され、中心部１１、スポーク部１２〜１２及びグリップ１３を具備している。
リモコン２は、合成樹脂で形成されたケース２０と、このケース２０内に収容保持された回路ユニット４０を具備している。
ケース２０は、一体に係合、係止された上ケース２１、下ケース２２及び底蓋２３で形成されている。
【００２５】
上ケース２１は、略円筒状の胴体部２４と、この胴体部２４の上面を閉塞する円板状の上板部２５とを具備し、この上板部２５には、その中心部分、内周部分、外周部分に位置して、後述する操作ボタン４５〜４５の頭部を貫通して突出させるための貫通孔２６〜２６が形成されている。このため、上板部２５の上面がリモコン２の操作面に相当する。
下ケース２２は、外側形状が略円筒状に形成され、中央部外側にはつば部２７が突設され、このつば部２７の上側に位置する上側部には、上ケース２１の胴体部２４と係合、係止した胴体部２８が連設されている。
胴体部２８は、下方へ向うに従って外径が小さくなるように形成され、つば部２７と連続する外周部分に円周方向に沿った係合溝２９が形成されている。
【００２６】
下ケース２２のつば部２７より下側部には、本発明に特有の外歯形状係合部３０が形成されている。
外歯形状係合部３０は、外側形状が円筒状に形成されるとともに、その外周円筒面に複数の外歯３１が円周方向に沿って一定間隔で形成されている。
外歯形状係合部３０の中心軸Ｃ１は、上板部２５の板面に略垂直でかつ上板部２５の略中心を通っている。
【００２７】
回路ユニット４０は、所定回路パターンが形成された基板４１と、この基板４１に実装されたスイッチ４２〜４２、ＬＥＤ４３〜４３などの回路素子とを具備している。
スイッチ４２〜４２の操作ボタン４５〜４５は、その頭部が上板部２５の貫通孔２６〜２６を貫通し操作面から外へ突出している。
操作ボタン４５〜４５の頭部には、それぞれの操作ボタンに付与される機能に対応した数字「１」〜「１２」が印されている。
数字「１」、「４」、「７」の操作ボタン４５、４５、４５の頭部には、ブラインドタッチを容易にするための突起部４６、４６、４６が形成されている。
【００２８】
ホルダー５は、合成樹脂によって成形されたホルダー本体部５０とホルダーカバー７０で形成されている。
ホルダー本体部５０は、ハンドル１と当接する当接片部５１と、リモコン２の外歯形状係合部３０と係合可能な内歯形状係合部５２と、当接片部５１と内歯形状係合部５２を連結する連結部５３とを具備している。
外歯形状係合部３０と内歯形状係合部５２は、角度調整係合部としての歯車形状係合部６０を構成している。
【００２９】
当接片部５１は、ハンドル１のグリップ部１３の一部分に密接するように、グリップ部１３と当接する内側面の曲率がグリップ部１３の曲率と略同一に形成され、その上側中央部には切欠き３５が形成されている。
当接片部５１の両側には、垂直方向（図１では上下方向）に沿った上下に位置して、２組の対となる係止爪５５、５６が外周側へ向けて突設されている。
【００３０】
内歯形状係合部５２は、リング状（背の低い円筒状）に形成されるとともに、その内側円筒面に複数の内歯５７が円周方向に沿って形成されている。
内歯形状係合部５２の中心軸Ｃ２は、外歯形状係合部３０との係合時に外歯形状係合部３０の中心軸Ｃ１と一致している。
【００３１】
連結部５３は水平連結部６１と垂直連結部６２を具備し、水平連結部６１には固定ハンドル８を挿通するための挿通孔６３、６３が形成されるとともに、止めねじ９、９と螺合するねじ孔６４、６４を有するボス６５、６５が突設されている。
挿通孔６３、６３は、下側の係止爪５６、５６の逃げ孔にもなっている。
【００３２】
ホルダーカバー７０は、ホルダー本体部５０の連結部５３の上側を覆うためのカバー本体７１と、このカバー本体７１の下側部から突設された係合突起部７２とを具備している。
カバー本体７１には、止めねじ８のねじ部を貫通し、頭部の抜け止めが可能な取付孔７３、７３が形成されるとともに、固定ハンドル８、８を挿通するための切欠き７５、７５が形成されている。
係合突起部７２は、下ケース２２の係合溝２９の略半周部分に係合可能となるように、略半円環状に形成されるとともに、その半径方向部分が外周側から内周側に沿って下方向へ傾いた形状に形成されている。
【００３３】
固定ハンドル８は、ホルダー５をハンドル１に取り付けるためのもので、伸縮性に富んだ材料（例えば合成ゴム）によって帯状に形成され、その長手方向に沿って複数の楕円形状の係止孔８１が形成されている。
【００３４】
つぎに、ホルダー５、固定ハンドル８を用いてリモコン２をハンドル１に取り付ける場合について説明する。
（１）固定ハンドル８を用いて、ハンドル１のグリップ部１３の好みの位置にホルダー本体部５０を固定する。
例えば、図２に示すように、ハンドル１のグリップ部１３の左側中央部分にホルダー本体部５０を取り付けるものとすると、ホルダー本体部５０の当接片部５１をグリップ部１３の対応する部分に密接し、固定ハンドル８、８の一側の 係止孔８１、８１を 係止爪５５、５５に 係止し、固定ハンドル８、８をグリップ部１３の対応する部分に巻き付け、固定ハンドル８、８を伸長しつつ他側の対応する係止孔８１、８１を 係止爪５６、５６に 係止してホルダー本体部５０をハンドル１に強固に取り付ける。
【００３５】
（２）ついで、リモコン２の操作ボタン４５〜４５の数字「１」〜「２」を含めた文字表示位置が運転者の好みの位置になるように位置決めして、リモコン２の外歯形状係合部３０をホルダー本体部５０の内歯形状係合部５２に係合する。この位置決めは、外歯形状係合部３０の外歯３１〜３１と内歯形状係合部５２の内歯５７〜５７の噛合位置を切り換えることによって、中心軸Ｃ１を中心とした多段階に角度調整することができる。
例えば、操作ボタン４５〜４５の位置を図２に示すように位置決めするときには、「１」の文字が印された操作ボタン４５が真上にくるように、リモコン２の外歯形状係合部３０をホルダー本体部５０の内歯形状係合部５２に係合すればよい。
【００３６】
（３）ついで、ホルダーカバー７０をホルダー本体部５０に被せ、止めねじ９、９をホルダー本体部５０のねじ孔６４、６４に螺合することによって、リモコン２をホルダー５に固定する。
すなわち、ホルダーカバー７０のカバー本体７１でホルダー本体部５０の連結部５３の上側を覆うとともに、ホルダーカバー７０の係合突起部７２をホルダー本体部５０の係合溝２９に係合し、平座金９１、９１及びばね座金９２、９２を介在させて、止めねじ９、９を取付孔７３、７３を介してホルダー本体部５０のねじ孔６４、６４に螺合することにより、リモコン２をホルダー５に固定する。   
【００３７】
前記第１実施例では、ハンドル１のグリップ部１３の左側中央部にリモコン２を取り付ける場合について説明したが、本発明はこれに限るものでなく、ハンドル１のグリップ部１３の右側、上側又は下側等に取り付ける場合についても利用することができる。   
例えば、図５に示すように、ハンドル１のグリップ部１３の右側中央部にリモコン２を取り付ける場合についても利用することができる。  
【００３８】
前記第１実施例では、リモコン２とホルダー５の係合する力をより強くして安定化させるために、外歯形状係合部３０の外歯３１〜３１の数と内歯形状係合部５２の内歯５７〜５７の数を同一にした場合について説明したが、本発明はこれに限るものでなく、一方の歯数を他方の歯数より少なく形成した場合についても、同様の角度調整を行うことができる。
例えば、外歯形状係合部の外歯の数を内歯形状係合部の内歯の数の１／２とし、外歯のピッチを内歯のピッチの２倍とした場合についても利用することができる。  
【００３９】
前記第１実施例では、ホルダーに内歯形状係合部を形成し、リモコンに外歯形状係合部を形成した場合について説明したが、本発明はこれに限るものでなく、ホルダーに外歯形状係合部を形成し、リモコンに内歯形状係合部を形成した場合についても利用することができる。
例えば、ホルダーの係合部の内側円筒面に、中心軸Ｃ２方向に沿った凹溝を円周方向に沿って一定間隔で形成し、リモコンの係合部の外側円筒面に、ホルダーとの係合時にホルダーの凹溝と角度調整可能に係合する凸条（中心軸Ｃ１に沿った凸条）を形成した場合についても利用することができる。
【００４０】
前記第１実施例では、ホルダーとリモコンの一方に内歯形状係合部を形成し、他方に外歯形状係合部を形成した場合について説明したが、本発明はこれに限るものでなく、ホルダーとリモコンの係合面（円筒面）の一方に、円周方向に沿って複数の凹部を一定間隔で形成し、他方に前記凹部と係合可能な凸部を形成した場合についても利用することができる。  
【００４１】
図６〜図８を本発明の第２実施例を示すもので、これらの図において、１はハンドル、２ａはリモコン、５aはホルダー、８aは固定バンドである。 
【００４２】
リモコン２ａは、略円筒状に形成されたケース２０ａと、このケース２０ａ内に収容保持された回路ユニット４０ａとを具備している。
ケース２０ａは、上ケース２１ａ、下ケース２２ａ及び底蓋（例えばバッテリーカバー）２３ａで形成されている。 
上ケース２１aの上板部２５aの上面がリモコン２aの操作面に相当し、操作ボタン４５a〜４５aの頭部が上板部２５aを貫通して外へ突出している。
下ケース２２aは、その上部が上ケース２１aに係止され、その下部が下方へ向かうにつれて外径が小さくなるように形成されてる。
底蓋２３aは、略円板状に形成されて下ケース２２aの底面に係止されている。底蓋２３aの下面には、凸形状係合部３０aが形成されている。
【００４３】
凸形状係合部３０aは、底蓋２３aの下面から下方へ向けて突設された略半球状の凸部３１a〜３１aからなり、これらの凸部３１a〜３１aは底蓋２３aの略中心を通り、かつ底蓋２３aの板面に略垂直な中心軸Ｃ１の回りに、円周方向に沿って一定間隔で形成されている。
【００４４】
ホルダー５aは、略円板状に形成されたホルダー本体部５０aと、このホルダー本体部５０aに連設されてグリップ部１３に密接する当接片部５１aと、両者を連結する連結部５３aとを具備している。
【００４５】
ホルダー本体部５０aの上面には、リモコン２aの凸形状係合部３０aと角度調整可能に係合する凹形状係合部５２aが形成されてる。
凸形状係合部３０aと凹形状係合部５２aは、角度調整係合部としての凹凸形状係合部６０aを形成している。
【００４６】
凹形状係合部５２aは、ホルダー本体部５０aの上面に凹設された略半球状の凹部５７a〜５７aからなり、これらの凹部５７a〜５７aは、図８にも示すように、ホルダー本体部５０aの略中心を通り、かつホルダー本体部５０aの板面に略垂直な中心軸Ｃ２の回りに、円周方向に沿って一定間隔で形成されている。
中心軸Ｃ１、Ｃ２は、リモコン２aの凸形状係合部３０aをホルダー５aの凹形状係合部５２aに角度調整して係合させて位置決めするときに、一致している。
【００４７】
ホルダー本体部５０aの上面の端部（図８では上下の端部）には、板ばね状の係止片５４、５４が上方へ向けて突設され、この係止片５４、５４の先端部には、下ケース２２aとの係止時に下ケース２２aの側壁に形成された係止孔（図示省略）に係止する係止爪５４a、５４aが形成されている。
【００４８】
前記第２実施例では、リモコン２aとホルダー５aの係合する力をより強くして安定化させるために、凸形状係合部３０aの凸部３１a〜３１aの数と凹形状係合部５２aの５７a〜５７aの数を同一にした場合について説明したが、本発明はこれに限るものでなく、一方の数を他方の数より少なく形成した場合ついても、同様の角度調整を行うことができる。
例えば、凸形状係合部の凸部の数を凹形状係合部の凹部の数の１／２とし、凸部間の間隔を凹部間の間隔の２倍とした場合についても利用することができる。
【００４９】
前記第２実施例では、ケース２０aの底蓋２３aに凸形状係合部３０aを形成し、ホルダー本体部５０aに凹形状係合部５２aを形成した場合について説明したが、本発明はこれに限るものでなく、ケース２０aの底蓋２３a側に凹形状係合部を形成し、ホルダー本体部５０a側に凸形状係合部を形成した場合についても利用することができる。
【００５０】
前記第２実施例では、ホルダーとリモコンの一方に凹形状係合部を形成し、他方に凸形状係合部を形成した場合について説明したが、本発明はこれに限るものでなく、ホルダーとリモコンの係合面（当接する平面）の一方に、中心軸との交差点を中心とした放射状の凹溝を一定間隔で複数本形成し、他方に前記凹溝と係合可能な凸条を形成した場合についても利用することができる。このとき、複数本の放射状の凹溝と、これと係合する凸条とが、円周方向に沿って歯車形状に係合する場合についても利用することができる。
【００５１】
前記第１、第２実施例では、説明を簡略化するために、リモコン２、２aの操作面には文字や数字が印されず、操作ボタン４５〜４５、４５a〜４５aの頭部「１」〜「１２」に数字が印されている場合について説明したが、本発明はこれに限るものでなく、リモコン２、２aの操作面に文字、数字、記号等が印され、及び／又は操作ボタン４５〜４５、４５a〜４５aの頭部に文字、数字、記号が印されたものについても利用することができる。  
例えば、リモコン２、２aの操作ボタン４５〜４５、４５a〜４５aの頭部の数字「１」〜「５」を文字「行先」〜「発話」等に変更し、数字「６」、「７」を符号「−」、「＋」に変更し、・・・、数字「１２」を文字「実行」に変更した場合についても利用することができる。
【００５２】
前記第１、第２実施例では、リモコン２、２aをハンドル１のグリップ部１３に取り付ける場合について説明したが、本発明はこれに限るものでなく、ハンドル１のスポーク部１２に取り付ける場合についても利用することができる。
【００５３】
前記第１、第２実施例では、リモコンとホルダーの係合部が円筒形状に形成されている場合について説明したが、本発明はこれに限るものでなく、リモコンとホルダーの係合部が多角筒状に形成されている場合について利用することができる。
例えば、リモコンとホルダーの係合部が、中心軸が一致して相対面する多角筒状の外側面と内側面を具備する場合についても利用することができる。この場合、係合面に歯車形状を設ける必要がない。
【００５４】
前記第１、第２実施例では、被取付部材がハンドルの場合について説明したが、被取付部材がハンドル以外の場合についても利用することができる。
【図面の簡単な説明】
【００５５】
【図１】本発明の第１実施例を示すもので、一部の図示を省略した分解斜視図である。
【図２】第１実施例の取付状態を示す平面図である。
【図３】図２のAーA線拡大断面図である。
【図４】図２のBーB線拡大断面図である。
【図５】第１実施例において、取付位置を変更した場合の取付状態を示す平面図である。
【図６】本発明の第２実施例の取付状態を示す平面図である。
【図７】図６のAーA線拡大断面図である。
【図８】図６においてリモコン２aを取り除いた状態を示す平面図である。
【図９】従来例の説明図ある。
【符号の説明】
【００５６】
１…ハンドル（被取付部材の一例）
１３…グリップ部
２、２a…リモコン（リモートコントローラ）       
３０…外歯形状係合部
３０a…凸形状係合部
３１…外歯  
３１a…凸部          
５、５a… ホルダー      
５２…内歯形状係合部  
５２a…凹形状係合部
５７…内歯  
５７a…凹部
６０…歯車形状係合部（角度調整係合部の一例）
６０a…凹凸形状係合部（角度調整係合部の一例）
Ｃ１…リモコンの係合部の中心軸（リモコンの操作面に略垂直な軸）
Ｃ２…ホルダーの係合部の中心軸
【図１】
2006312407.tif 000003
【図２】
2006312407.tif 000004
【図３】
2006312407.tif 000005
【図４】
2006312407.tif 000006
【図５】
2006312407.tif 000007
【図６】
2006312407.tif 000008
【図７】
2006312407.tif 000009
【図８】
2006312407.tif 000010
【図９】
2006312407.tif 000011